(57)【要約】【課題】シンプルな構造で、施工作業も容易であり、完成後の目地の有無を選択して施工することができる建築用パネルを提供する。【解決手段】建築用パネル１００は、略同一平面を形成するように複数配置することにより施工対象領域を被覆可能な略正方形状の表面部１０と、表面部１０の周縁に沿って形成された周面部１１と、を有する。周面部１１は、表面部１０の四辺部分をそれぞれ裏面側に折り曲げて形成されている。四つの周面部１１の端縁部１１ａの外周にはそれぞれ表面部１０と略平行に突出する複数の係止片１２と、係止片１２が嵌入可能なサイズの複数の凹状部１３と、が設けられている。図８に示すように、施工時に隣り合って配置される複数の建築用パネル１００，１００の周面部１１，１１同士の間において係止片１２と凹状部１３とが対向するように複数の係止片１２及び凹状部１３が設けられている。【選択図】図３
2016199907.tif 000002
【特許請求の範囲】
【請求項１】
略同一平面を形成するように複数配置することによって施工対象領域を被覆可能な表面部と、前記表面部の周縁に沿って形成された周面部と、を有する建築用パネルであって、
前記周面部の外周に前記表面部と略平行に突出する係止片と、前記係止片が嵌入可能なサイズの凹状部と、を設け、施工時に隣り合って配置される複数の前記建築用パネルの周面部同士の間において前記係止片と前記凹状部とが対向するように前記係止片及び前記凹状部を設けたことを特徴とする建築用パネル。
【請求項２】
前記周面部の長手方向に沿って複数の前記係止片と前記凹状部とを交互に設けた請求項１記載の建築用パネル。
【請求項３】
前記凹状部に、前記表面部側に向かって凹んだ形状の切欠き部を設けた請求項１または２記載の建築用パネル。
【請求項４】
１枚の平板材の外周部に切断加工及び曲げ加工を施すことによって前記周面部、前記係止片及び前記凹状部を形成した請求項１〜３のいずれかに記載の建築用パネル。
【請求項５】
前記表面部に貫通部若しくは透光部を設けた請求項１〜４のいずれかに記載の建築用パネル。
【発明の詳細な説明】
【技術分野】
【０００１】
本発明は、建物の外壁、内壁あるいは天井などに沿って平面状に取り付けて使用される建築用パネルに関する。
【背景技術】
【０００２】
建物の内壁や外壁などに意匠性を持たせるなどの目的で使用されるパネルやボード材については、従来、様々なデザインや形状のものが開発、施工されているが、本発明に関連するものとして、例えば、特許文献１記載の「建築用化粧壁」がある。
【０００３】
特許文献１記載の「建築用化粧壁」は、左右に一定間隔あけて平行配置した鉛直フレームと、隣接する鉛直フレーム間において上下に一定間隔あけて平行配置した水平フレームと、目地部が鉛直フレーム及び水平フレームの前側にそれぞれ位置するように並設した化粧パネルと、水平フレーム３両端を鉛直フレーム２着脱自在に連結するとともに、化粧パネルを鉛直フレームに着脱自在に連結するための連結部材と、を備えている。
【先行技術文献】
【特許文献】
【０００４】
【特許文献１】特開平１０−１５９２９６号公報
【発明の概要】
【発明が解決しようとする課題】
【０００５】
特許文献１記載の「建築用化粧壁」は、部品点数の削減、施工作業の簡略化、製作コストの低減などの課題を解決するための様々な工夫がなされているが、これらの課題は本発明が属する技術分野において、今後も永続する重要な課題である。
【０００６】
そこで、本発明が解決しようとする課題は、シンプルな構造で、施工作業も容易であり、完成後の目地の有無を選択して施工することができる建築用パネルを提供することにある。
【課題を解決するための手段】
【０００７】
本発明の建築用パネルは、略同一平面を形成するように複数配置することによって施工対象領域を被覆可能な表面部と、前記表面部の周縁に沿って形成された周面部と、を有する建築用パネルであって、
前記周面部の外周に前記表面部と略平行に突出する係止片と、前記係止片が嵌入可能なサイズの凹状部と、を設け、施工時に隣り合って配置される複数の前記建築用パネルの周面部同士の間において前記係止片と前記凹状部とが対向するように前記係止片及び前記凹状部を設けたことを特徴とする。
【０００８】
ここで、前記周面部の長手方向に沿って複数の前記係止片と前記凹状部とを交互に設けることが望ましい。
【０００９】
また、前記凹状部に、前記表面部側に向かって凹んだ形状の切欠き部を設けることが望ましい。
【００１０】
一方、１枚の平板材の外周部に切断加工及び曲げ加工を施すことによって前記周面部、前記係止片及び前記凹状部を形成することができる。
【００１１】
さらに、前述した建築用パネルにおいては、前記表面部に貫通部若しくは透光部を設けることもできる。
【発明の効果】
【００１２】
本発明により、シンプルな構造で、施工作業も容易であり、完成後の目地の有無を選択して施工することができる建築用パネルを提供することができる。
【図面の簡単な説明】
【００１３】
【図１】本発明の実施形態である建築用パネルを示す表面図である。
【図２】図１中の矢線Ａ方向から見た図である。
【図３】図１中の矢線Ｂ方向から見た図である。
【図４】図１中の矢線Ｃで示す部分の拡大図である。
【図５】図４中のＤ−Ｄ線における断面図である。
【図６】図３中の矢線Ｅで示す部分の拡大図である。
【図７】図１に示す建築用パネルを取り付けるためのフレーム材を示す図である。
【図８】図１に示す建築用パネルの施工例を示す一部省略斜視図である。
【図９】図８に示す施工例における建築用パネルの隣接部分を示す一部省略断面図である。
【図１０】図８に示す施工例の完成状態を示す表面図である。
【図１１】その他の実施形態である建築用パネルを示す表面図である。
【図１２】図１に示す建築用パネルのその他の施工例を示す一部省略表面図である。
【図１３】図１２に示す施工例における建築用パネルの隣り合う部分を示す一部省略断面図である。
【図１４】図１２に示す施工例の完成状態を示す表面図である。
【発明を実施するための形態】
【００１４】
以下、図１〜図１０に基づいて、本発明の実施形態である建築用パネル１００について説明する。図１〜図３に示すように、建築用パネル１００は、略同一平面を形成するように複数配置すること（図９参照）によって施工対象領域を被覆可能な略正方形状の表面部１０と、表面部１０の周縁に沿って形成された周面部１１と、を有する。周面部１１は、表面部１０の四辺部分をそれぞれ同じ幅ずつ裏面側に直角に折り曲げることによって形成されている。四つの周面部１１の端縁部１１ａの外周にはそれぞれ表面部１０と略平行に突出する複数の係止片１２と、係止片１２が嵌入可能なサイズの複数の凹状部１３と、が設けられている。図８に示すように、施工時に隣り合って配置される複数の建築用パネル１００，１００の周面部１１，１１同士の間において係止片１２と凹状部１３とが対向するように複数の係止片１２及び凹状部１３が設けられている。係止片１２にはネジ孔１２ａが開設されている。
【００１５】
図１〜図３に示すように、建築用パネル１００の四つの周面部１１にはそれぞれ係止片１２及び凹状部１３が四つずつ設けられている。係止片１２及び凹状部１３は、周面部１１の長手方向に沿って係止片１２と凹状部１３とが交互をなすように設けられている。また、四つの周面部１１のうち、対向する周面部１１において、一方の周面部１１の係止片１２と他方の周面部１１の凹状部１３とが同位相をなすとともに、一方の周面部１１の凹状部１３と他方の周面部１１の係止片１２とが同位相をなすように配置されている。なお、係止片１２及び凹状部１３の個数や配置位置などは前述の形態に限定しない。
【００１６】
また、図６に示すように、それぞれの凹状部１３には、表面部１０側に向かって凹んだ形状の切欠き部１３ａが設けられている。切欠き部１３ａは、凹状部１３の周面部１１の長手方向の中央部分に設けられている。凹状部１３の周面部１１の奥行方向の深さ１３ｄは建築用パネル１００の係止片１２の厚み１３ｔと略同等（若しくは厚み１３ｔより僅かに大）である。
【００１７】
建築用パネル１００においては、１枚の平板材の外周部に切断加工及び曲げ加工を施すことによって周面部１１、係止片１２及び凹状部１３が形成されているが、製造方法を限定するものではない。また、建築用パネル１００においては、表面部１０に様々な形状をした複数の貫通部１０ａを設けることによって意匠性を持たせている。
【００１８】
次に、図７〜図１０に基づいて、図１に示す建築用パネル１００の施工例について説明する。なお、後述する施工事例においては、作業手順を分かり易くするため、建築用パネル１００ａ，１００ｂ，１００ｃ，１００ｄと表示しているが、いずれも図１に示す建築用パネル１００と同一のものである。
【００１９】
図７に示すように、施工対象領域の一つである壁面Ｗに対し、四角筒形状をした複数のフレーム材２１を縦横に組み合わせて取り付けることにより、田字状の格子構造体２０を形成する。
【００２０】
次に、田字状の格子構造体２０を構成するフレーム材２１によって区画形成された四つの正方形領域２２のうちの一つの正方形領域２２を覆うように建築用パネル１００ａをセットし、図８に示すように、建築用パネル１００ａの係止片１２のネジ孔１２ａからフレーム材２１に向かってネジＮを螺着することによって建築用パネル１００ａを格子構造体２０に固定する。
【００２１】
この後、図８に示すように、固定した建築用パネル１００ａの隣に別の建築用パネル１００ｂを取り付ける。この場合、固定済みの建築用パネル１００ａの周面部１１の凹状部１３に、次の建築用パネル１００ｂの周面部１１の係止片１２を嵌入させるようにして取り付けると、同時に、固定済みの建築用パネル１００ａの係止片１２が次の建築用パネル１００ｂの凹状部１３に嵌入され、図９に示すような状態に係止される。もし、建築用パネル１００ａの係止片１２に螺着されたネジＮの頭部が突出していても、凹状部１３には切欠き部１３ａが設けられているため、建築用パネル１００ａの係止片１２は建築用パネル１００ｂの凹状部１３に難なく嵌入可能である。
【００２２】
この後、建築用パネル１００ｂの建築用パネル１００ａと反対側に位置する周面部１１の係止片１２のネジ孔１２ａからフレーム材２１に向かってネジＮを螺着すると、建築用パネル１００ｂが格子構造体２０に固定される。このような作業を残りの正方形領域２２において繰り返し、建築用パネル１００ｃ，１００ｄを順次、フレーム材２１に固定していくと、図１０に示すように、４枚の建築用パネル１００ａ，１００ｂ，１００ｃ，１００ｄが格子構造体２０に固定され、壁面Ｗ（図７参照）に対する建築用パネル１００ａ〜１００ｄの施工が完了する。図１０に示す施工事例においては、建築用パネル１００ａ，１００ｂ，１００ｃ，１００ｄの周面部１１，１１同士が互いに隣接して配置され、所謂「目地無し」の状態となる。
【００２３】
前述した施工例では、田字状をした格子構造体２０に４枚の建築用パネル１００ａ〜１００ｄを取り付けているが、これは一例を示すものであり、施工規模や施工方法などは前述した施工例に限定されない。
【００２４】
建築用パネル１００（１００ａ〜１００ｄ）は、その表面部１０に複数の貫通部１０ａを設けることにより、見た人に樹林を連想させるようなデザインが施されているため、図１０に示すように施工すると優れた意匠性を発揮する。また、図１０に示すように施工した場合、建築用パネル１００の背面側（表面部１０と壁面との間）に形成される空間を照射する人工光源や自然光源を設ければ、貫通部１０ａから漏れる光による意匠性を発揮させることもできる。
【００２５】
なお、図１，図１０に示す建築用パネル１００（１００ａ〜１００ｄ）の表面部１０の貫通部１０ａによるデザインは一例であり、これに限定するものではないので、例えば、図１１に示すような建築用パネル１００Ｘを形成することもできる。建築用パネル１００Ｘの表面部１０Ｘには、その正方形の中心から４つの周面部１１Ｘに向かって広がる印象を与えるように複数の貫通部１０ａＸが設けられている。具体的には、表面部１０Ｘの中心から四つの周面部１１Ｘからに向かって、表面部１０Ｘと相似した複数の同心正方形を描くように、長方形をした複数の貫通部１０ａＸが配置されている。
【００２６】
これにより、建築用パネル１００Ｘを正面から見た人は、ピラミッドをその頂上側から見下したような感覚に陥るという効果がある。また、建築用パネル１００Ｘを斜め方向から見ると貫通部１０ａＸの幅が狭く見える領域とそうでない領域とが生じ、表面部１０Ｘの中央部が突出したり、凹んだりして見えるので、見る人に立体感を与えるという効果もある。
【００２７】
図１に示す建築用パネル１００及び図１１に示す建築用パネル１００Ｘにおいては、それぞれの表面部１０，１０ｘに貫通部１０ａ，１０ａＸを設けているが、これらに限定するものではないので、例えば、貫通部１０ａ，１０ａＸに該当する部分に光を透過する機能を有する材料を付設して透光部あるいは半透光部を形成することにより、前述と同様の背光効果を生じさせることもできる。
【００２８】
次に、図１２〜図１４に基づいて、図１に示す建築用パネル１００のその他の施工例について説明する。本施工例においては、まず、格子構造体２０に対して建築用パネル１００ａをセットし、係止片１２のネジ孔１２ａからフレーム材２１に向かってネジＮを螺着することによって建築用パネル１００ａを固定する。この後、図１２に示すように、建築用パネル１００ａの隣に次の建築用パネル１００ｂをセットする。このとき、固定済みの建築用パネル１００ａの周面部１１と、隣り合う建築用パネル１００ｂの周面部１１との間に、係止片１２の突出長さより若干広いサイズの隙間Ｖを隔てて建築用パネル１００ｂをセットする。
【００２９】
次に、建築用パネル１００ｂの係止片１２のネジ孔１２ａからフレーム材２１に向かってネジＮを螺着することによって建築用パネル１００ｂを格子構造体２０に固定する。このような作業を繰り返し、建築用パネル１００ｃ，１００ｄを順次、フレーム材２１に取り付ける。この後、建築用パネル１００ａ，１００ｂ，１００ｃ，１００ｄにおいて隣り合う周面部１１，１１の間に形成されている隙間Ｖに目地材３０を嵌め込み、ネジＮ１を用いて固定すると、図１４に示すような状態となり、施工が完了する。
【００３０】
図１４に示す施工例においては、隣り合う建築用パネル１００ａ，１００ｂ，１００ｃ，１００ｄの間に目地材３３を嵌め込むことにより、所謂「目地有り」の状態となるので、図１０に示す施工例と異なる外観を呈することができる。
【００３１】
建築用パネル１００は、略正方形状の表面部１０の周縁に沿って形成された周面部１１に複数の係止片１２及び凹状部１３を設けた構造であるため、構造はシンプルである。また、先に固定した建築用パネル１００の隣に次の建築用パネル１００を配置し、係止片１２のネジ孔１２ａにネジＮを螺着していくだけで固定することができるため、施工も容易である。さらに、隣り合う建築用パネル１００の周面部１１同士を密着して配置するか、隙間を設けて配置するかは任意であるため、完成後の目地の有無を選択して施工することができる。
【００３２】
なお、図１〜図１４に基づいて説明した建築用パネル１００及びその施工例は本発明を例示するものであり、本発明に係る建築用パネル、及び、その施工方法は前述した実施形態及び施工例に限定されない。
【産業上の利用可能性】
【００３３】
本発明の建築用パネルは、建築用資材として建設業などの産業分野において広く利用することができる。
【符号の説明】
【００３４】
１０，１０Ｘ  表面部
１０ａ，１０ａＸ  貫通部
１１，１１Ｘ  周面部
１１ａ  端縁部
１２  係止片
１２ａ  ネジ孔
１３  凹状部
１３ｄ  深さ
１３  ａ  切欠き部
２０  格子構造体
２１  フレーム材
３０  目地材
１００，１００ａ，１００ｂ，１００ｃ，１００ｄ，１００Ｘ  建築用パネル
Ｎ，Ｎ１  ネジ
Ｖ  隙間
【図１】
2016199907.tif 000003
【図２】
2016199907.tif 000004
【図３】
2016199907.tif 000005
【図４】
2016199907.tif 000006
【図５】
2016199907.tif 000007
【図６】
2016199907.tif 000008
【図７】
2016199907.tif 000009
【図８】
2016199907.tif 000010
【図９】
2016199907.tif 000011
【図１０】
2016199907.tif 000012
【図１１】
2016199907.tif 000013
【図１２】
2016199907.tif 000014
【図１３】
2016199907.tif 000015
【図１４】
2016199907.tif 000016